(57)【要約】【課題】特殊な入力装置を使用することなく、簡易な手法を用いてＩＣカードの利用者の正当性を確実に認証でき、第三者による不正使用を防止すること。【解決手段】電界を放射するカードリーダー１０２に対して非接触配置され得るＩＣカード１０１において、ＩＣカードの利用者ＩＤをカードリーダーに通知し、ＩＣカード利用者を特徴付けるものをカードリーダーからの放射電界中に配することによって電界の状態変化を検出（１１３，１１４）し、ＩＣカード利用者の正当性を認証１０６すること。また、ＩＣカード利用者を特徴付けるものは利用者の手の動きであること。また、電界の状態変化検出は電界の強度変化を検出１１３すること又は周波数成分を検出１１４することである構成とする。【選択図】        図１
2004302881.tif 000002
【特許請求の範囲】
【請求項１】
電界を放射するカードリーダーに対して非接触配置されるＩＣカードにおいて、
前記ＩＣカードの利用者に関する電界変化のパターンを記憶する電界パターン記録部と、
前記カードリーダーから放射される電界の電界変化パターンを検出するパターン検出部と、
該パターン検出部によって検出された電界変化パターンと、前記電界パターン記録部に記録された電界変化のパターンを比較する電界パターン比較部と、
該電界パターン比較部による比較の結果によって、前記ＩＣカードの利用可否を判定する利用許可判定部と、
該利用許可判定部による判定の結果を前記カードリーダーに送信する送信部とを備えることを特徴とするＩＣカード。
【請求項２】
請求項１において、
前記パターン検出部は、電界の強度変化又は周波数成分によって前記電界変化パターンを検出することを特徴とするＩＣカード。
【請求項３】
請求項２において、
前記パターン検出部は、前記電界の強度変化に加えて、電界強度の微分値又は電界強度の積分値を検出し、
前記利用許可判定部は、該検出結果を利用して判定を行うことを特徴とするＩＣカード。
【請求項４】
電界を放射するカードリーダーと、該カードリーダーに対して非接触配置されるＩＣカードと、前記カードリーダーに接続された業務システムと、を備えたＩＣカード利用者認証システムであって、
前記ＩＣカードは、
該ＩＣカードの利用者ＩＤを前記カードリーダーを通して前記業務システムに送信する送信部と、
前記ＩＣカードの利用者に関する電界変化のパターンを記憶する電界パターン記憶部と、
前記カードリーダーから放射される電界の電界変化パターンを検出するパターン検出部と、
該パターン検出部によって検出された電界変化パターンと、前記電界パターン記録部に記録された電界変化のパターンを比較する電界パターン比較部と、
該電界パターン比較部による比較の結果によって、前記ＩＣカードの利用可否を判定する利用許可判定部と、
該利用許可判定部による判定の結果、利用許可である場合は、前記ＩＣカードに関する認証コードを前記カードリーダーに送信する送信部とを備え、
前記業務システムは、
前記ＩＣカードから送信された利用者ＩＤと認証コードを比較して、前記業務システムのアクセス許可を判定することを特徴とするＩＣカード利用者認証システム。
【発明の詳細な説明】
【０００１】
【発明の属する技術分野】
本発明は、ＩＣカードに格納された情報を用いてサービスを提供する情報処理システムに関し、特に、ＩＣカード利用者の正当性の認証システムに関する。
【０００２】
【従来の技術】
従来技術において、ＩＣカードは偽造や改竄が困難ではあるが、盗難や紛失により他人の手に渡ったときの不正使用を防止することについては課題があって、不正使用防止に関する種々の工夫が為されている。通常は、パスワード等により利用者の認証を行っているが、パスワードの管理が難しいという課題を抱えている。最近は指紋認証や筆跡認証といった個人認証技術を併用する方法も提案されている。
【０００３】
具体的な個人認証装置の従来技術として、ＩＣカードと指紋認証を併用することにより認証を確実にすることが提案されている（例えば、特許文献１参照）。
【０００４】
【特許文献１】
特開平１０−２０８０５３号公報
【０００５】
【発明が解決しようとする課題】
しかしながら、上記特許文献１に開示されているような個人認証技術を併用するには、指紋読み取り装置や筆跡入力装置といった特殊な入力装置を新たに準備して接続する必要があり、これによって、このような認証システムを広く一般には利用し難いという課題が残る。
【０００６】
本発明の目的は、特殊な入力装置を使用することなく、簡易な手法を用いてＩＣカードの利用者の正当性を確実に認証でき、第三者による不正使用を防止する個人認証装置を提供することにある。
【０００７】
【課題を解決するための手段】
前記課題を解決するために、本発明は主として次のような構成を採用する。
電界を放射するカードリーダーに対して非接触配置されるＩＣカードにおいて、
前記ＩＣカードの利用者に関する電界変化のパターンを記憶しておき、
前記カードリーダーから放射される電界の電界変化パターンを検出し、
前記検出された電界変化パターンと前記記憶された電界変化のパターンとを比較し、
前記比較の結果によって前記ＩＣカードの利用可否を判定し、
前記判定の結果を前記カードリーダーに送信する構成である。
【０００８】
この構成を採用することによって、本発明はＩＣカードの利用者の正当性を確実に認証することができる。
【０００９】
【発明の実施の形態】
本発明の実施形態に係るＩＣカード利用者認証システム及びこれに用いるＩＣカードについて、図面を参照しながら説明する。まず、本実施形態に係るＩＣカード利用者認証システムの概要について説明する。図４は本実施形態に関する非接触型ＩＣカード（カードリーダーと非接触で動作するＩＣカード）と非接触型カードリーダー（ＩＣカードと非接触で動作するカードリーダー）を用いた利用者個人の認証方法を説明する図である。
【００１０】
図４において、符号１０１は非接触型ＩＣカード（以下、ＩＣカードと称する）、１０２は非接触型カードリーダー（以下、カードリーダーと称する）、１０３はＩＣカードに内蔵されたＣＰＵチップ、１０４はＩＣカード内のアンテナ（送信用及び受信用）、２０１はＩＣカード利用者の手、４０１はカードリーダーが放出する電界の強度態様、４０２は手による電界強度の変化状況、をそれぞれ表す。
【００１１】
本発明の概要は、カードリーダーから放出される電波を利用してＩＣカード利用者の認証を行おうとするものである。まず、カードリーダーからの電界は、近傍に導電性の物体が存在すると、その物体の影響を受けて電界の分布や強度が変化し、電界の変化は物体の導電性や大きさ、形状、密度などの条件によって固有の変化パターンを表す。その電界の変化は、ＩＣカードのアンテナに流れる電流強度の変化となって現れるので電流強度の変化を解析すれば電界中に存在する物体を識別することができる。そこで、物体としての、例えば人間の体は導電性があるので、身体の一部、例えば手を電界中にかざすと電界変化が生じる。
【００１２】
更に、ＩＣカード内のメモリに、ＩＣカードの正当な利用者が自身の手を電界中にかざしたときに発生する電界の変化を記憶しておく。そこで、ＩＣカードを利用する際に、検出された電界の変化とメモリ記憶されている電界の変化を比較して、一致しているか否かを検出することによって、正当な利用者であるか否かを判別することができ、正当な利用者以外の者による不正な使用を防止しようとするものである。
【００１３】
また、ＩＣカードはカードリーダーから放射されている電界をＩＣカード内のアンテナで検出することでＩＣカードのＣＰＵを動作させている。即ち、ＩＣカードリーダーからＩＣカードに向けての電波はＩＣカード用の電源として利用している。勿論、ＩＣカード内に電源を保有しても良い。
【００１４】
以上の説明では、ＩＣカードの利用者が手をかざしたときに電界変化を検出することで、当該利用者の正当性を識別することを述べたが、これは基本的な原理を説明したものであり、具体的には利用者自身しか知らない手の動き（例えば、利用者氏名のイニシャル、利用者特有の模様、グーチョキパーの順序付け）をすることによって、或る特定の箇所での電界変化の時間的経過を検出し、当該ＩＣカードの利用者しか知らない予め登録された登録パターンと比較することによって、その識別能力は実用に充分に耐える程度に向上する。また、手の動きの外に、利用者が所持する特有のもの、例えば眼鏡、時計等を用いても良い。
【００１５】
加えて、その詳細は図２の説明で後述するが、本実施形態のＩＣカード利用者認証システムは、利用者を特徴付ける利用者特有のものによる電界変化のみによる認証ではなくて、この認証を実施する前提として、利用者が持参したＩＣカード自体を起動させており、更に利用者ＩＤを求めるものであるので、電界変化の利用による認証は補完的で且つ直接的な認証手法である。
【００１６】
図４を用いて本発明の概要を再度説明すると、１０１は業務で利用する非接触型ＩＣカードである。ＩＣカード１０１の内部には、アンテナ１０４とＣＰＵ１０３が埋め込まれている。アンテナ１０４が捕らえた電界をＣＵＰ１０３で処理して業務を実行する。１０２はＩＣカード１０１と通信を行うカードリーダーである。４０１はカードリーダー１０２が放出する電界の様子を模式的に示している。
【００１７】
２０１はＩＣカードの利用者の手である。手以外であっても利用者の身体の一部であれば認証に利用できる。人間の身体は導体であるため、カードリーダーが放出する電界４０１に影響を与える。４０２は電界の強度が手の影響により変化している様子を模式的に示している。電界の変化は手の大きさ、形、皮膚の表面の状態、動き、電界の周波数等によって微妙に変化する。電界の変化は、アンテナ１０４を経由してＣＰＵ１０３でも検知することができる。これらの電界の変化を解析して、正当な利用者であるか否かをＣＰＵ１０３で判断する。
【００１８】
図１は本発明の実施形態に係る非接触型ＩＣカードの内部構成を示すとともにＩＣカードを含めたＩＣカード利用者認証システムの全体構成を示す図である。本実施形態に係るＩＣカード利用者認証システムは、ＩＣカード１０１と、カードリーダー１０２（ＩＣカードの情報を読み取る機能と電波を送信し又は受信する機能を備えたもの）と、カードリーダーと接続し利用者の各種情報を保持する業務システムと、から構成される。
【００１９】
図１におけるＩＣカード１０１は、図示された構成要素を含むＣＰＵ１０３と、非接触型カードリーダー１０２から放出される電波を受信する受信アンテナ１０４と、不図示であるがカードリーダー１０２に向けた電波を送信する送信アンテナと、を備えている。カードリーダー１０２が放出している電界は、電磁誘導の法則により受信アンテナ１０４に誘導電流を発生させる。受信アンテナ１０４が得た電流は、ＣＰＵ１０３内部にある電界強度検出部１１３と周波数検出部１１４に送られる。電界強度検出部１１３は、受信アンテナ１０４から得た誘導電流から雑音を取り除き、カードリーダーの電界から誘起された電流成分のみを取り出し、Ａ／Ｄ変換部１１２に送る。周波数検出部１１４は、受信アンテナ１０４から得た電流から周波数成分を抽出する。
【００２０】
カードリーダーが放出する電界は元々単一周波数であるが、通信のための変調がかかっているため、周波数成分に広がりを持っている。人間の手のような物体は、使用している周波数によっても電界に及ぼす影響が変わってくる。周波数の変動を検知することにより、個人認証の精度を高めることができる。換言すると、個人毎の手の状態（例えば、手の湿り度等）に因って或る周波数の吸収分や反射分が異なり、この周波数の特性変化を検出することで、個人毎の識別判定が可能となり得る。精密な個人毎の識別は兎も角も、或る程度の例えば、男女別又は年齢層による識別はでき得る。
【００２１】
電界強度検出部１１３から得たデータは、Ａ／Ｄ変換部１１２によりデジタルデータに変換される。Ａ／Ｄ変換部１１２以降の処理は、すべてデジタル処理なので、ソフトウエアにより実現可能である。したがって、ＣＰＵ１０３に追加すべきハードウエア回路は、電界強度検出部１１３、周波数検出部１１４、Ａ／Ｄ変換部１１２のみである。それほど認証精度を要求しない用途にこの認証システムを適用するのであれば、周波数検出部１１４も省略可能である。
【００２２】
Ａ／Ｄ変換部１１２を出た信号は、パターン抽出部１０９と微分演算部１１０と積分演算部１１１に送られる。電界強度のデータに対して、微分演算や積分演算を行うことにより、単純な電界強度の変化だけでなく、変化の速度や、変化の積算量も知ることができる。より精密な認証を行うことができる。さらに、電界強度の２階微分を行う処理を追加しても良い。２階微分は加速度に対応する物理量であり、手の力の加減を表す量である。これは個人の癖を良く反映する量であるため、認証精度の向上に有効である。換言すると、微分演算部１１０によって手の動きの変化分の大小を検出し、積分演算部１１１によって手の動きの総量を検出することができる。したがって、手の動きの時間的経過による電界強度の変化パターンを抽出するとともに、手の動きの変化分や手の動き量をも利用者認証の検出値として用いることができる。
【００２３】
即ち、パターン抽出部１０９で、デジタル化した電界強度情報からパターンの抽出を行う。なお、微分演算や積分演算を行った結果もまたデジタル的な情報であるため、電界強度に対するパターン抽出処理と同じ処理で微分や積分のパターンを抽出することができる。
【００２４】
電界パターン比較部１０８は、受信電界から抽出したパターンと、電界パターン記録部１２１に格納されているパターンとの比較を行う。電界パターン記録部１２１には、電界強度パターン１１７と電界微分パターン１１８と電界積分パターン１１９と周波数依存パターン１２０が保存されている。電界パターン比較部１０８で比較した結果は利用許可判定部１０７に送られ、ＩＣカードの利用を許可するか否かの最終的な判定がなされる。このとき、判定記録部１０６に格納されている判定履歴１１５と判定パラメーター１１６を参照する。判定履歴１１５は、最近の利用者許可判定部の判定結果を保持している。
【００２５】
認証失敗という判定が一定回数以上連続した場合は、不正な第三者の手にカードが渡っている可能性がある。このような場合は、不正アクセスを受けていると見なしてアクセスを拒否するというような対抗手段を取ることができる。判定パラメータ１１６は、本人と認める基準のパラメーターを保持している。典型的な例では電界強度の差が１０％以内なら一致と認めるなどの設定が保持される。設定値はＩＣカードの用途に応じて決定される。当然のことながら、高いセキュリティの要求される用途に用いる場合は厳しく設定される。
【００２６】
以上説明した実施形態では、ＩＣカード内で個人認証する方式を述べたが、業務システム側で個人認証することもできる。ＩＣカードで検知した電界パターン情報を業務システム側に転送して、業務システム側に登録されているパターンと前記と同様の手順で照合する。個人の認証情報を業務システム側で一元的に管理できるという利点がある。認証が成功したら業務システム１０５との間で所望の業務処理を行う。
【００２７】
ＩＣカード１０１の中には管理者鍵１２２も設定される。管理者鍵１２２は判定パラメーターや電界パターンと共にカード発行時に設定される。業務の都合や使用条件の変化により、判定パラメーターや電界パターンの変更が必要になった場合は、管理者鍵１２２を使って変更する。この管理者鍵１２２は文字通り管理者のみが持つ鍵である。管理者鍵１２２による認証が成功した場合のみ判定パラメーターや電界パターンの書き換えが許可される。管理者鍵は強い権限を与える鍵であるため安全に管理されなくてはならない。
【００２８】
このＩＣカード利用者認証システムの用途、適用分野としては、コンピュータシステムに対するアクセス用社員証の利用、ＡＴＭ等の金融関連業務や電子申請等の行政関連業務、買い物に用いるクレジットカードなどがある。高度なセキュリティが求められ、第三者による不正使用を排除する必要性が高い業務に適している。厳密な認証を要求しな業務であっても、非接触型ＩＣカードで個人認証する必要のある業務であれば、パラメーターの設定を調整することにより広く適用可能である。
【００２９】
図２は、ＩＣカード利用者認証システムにおける、ＩＣカード、ＩＣカード利用者、カードリーダー・業務システム間の処理の流れを示している。ステップ２０２で、ＩＣカード利用者２０１は所持しているＩＣカード１０１を業務システムに接続されたカードリーダー１０２にかざす。ステップ２０３で、カードリーダー１０２はＩＣカード１０１が通信可能領域に投入されたことを検知して、ＩＣカード１０１に起動コマンドを送付する。ステップ２０４で、ＩＣカード１０１は所定の起動処理を行い、カードリーダー１０２に起動完了を通知する。ステップ２０５で、利用者２０１の認証を行うために、ＩＣカード１０１に対して利用者ＩＤ要求を行う。ステップ２０６で、ＩＣカード１０１は内部に格納された利用者ＩＤを取り出し、カードリーダー１０２に通知する。
【００３０】
業務システムは、多数のシステム登録利用者の中から現在アクセスしようとしている利用者をたった１人に絞り込むことができる。ただし、この時点では認証が完了していないので、不正な第三者が利用者になりすましている可能性を残している。ステップ２０７で、業務システムはカードリーダー１０２を通して、ＩＣカード１０１に対して認証を要求する。ステップ２０８で、利用者２０１は電界中に手をかざして予め登録しておいた動作を行う。これにより電界の分布が変化する。ステップ２０９で、ＩＣカード１０１は、アンテナに誘起される起電力の変化を測定することにより、電界の変化を検知する。
【００３１】
ＩＣカード１０１は、検知した電界の変化パターンとカード内に登録されている電界の変化パターンとの照合を行う。照合手順の詳細は後述する。正しい利用者であることが確認できたら、ステップ２１０でカード内に格納されている認証コードをカードリーダー１０２に通知する。認証コードは、ＩＣカードにおけるパターン照合が成功した場合にＩＣカードから業務システムに送信される情報である。業務システムは、先に送付された利用者ＩＤと認証コードを予め対応付けて記憶しておき、この認証コードが利用者ＩＤに対して正当なコードであるかどうかを照合する。正当なコードであることが確認できたら、アクセスを許可し、所望の業務処理を開始する。さらに、セキュリティを高めたい場合は、単純な認証コードの照合の代わりに、ワンタイムパスワード方式の認証を利用することもできる。
【００３２】
図３は、ＩＣカード内で電界パターンの照合を行い、利用者認証する手順を示す。ステップ３０１でアンテナ１０４に誘起された起電力からＩＣカード周辺の電界を検知する。ステップ３０３で、電界データの中から周波数成分の情報を取り出す。ステップ３０４で、周波数成分の情報に対してＡ／Ｄ変換を行い、演算処理可能なデジタル情報に変換する。ステップ３０６で、周波数パターンを抽出する演算を行い、周波数分布の波形から特徴的なパターンを取り出す。ステップ３０７で、ＩＣカード内に保存してある正当な利用者の登録パターンと、ステップ３０６で抽出したパターンの比較を行う。一致すれば他の比較結果と合わせて判定を行う。不一致であれば後述するステップ３１９に処理を移し、カードリーダーに認証失敗を通知する。
【００３３】
上述した処理と並行してステップ３０２以下の処理を行う。並行処理は論理的なものであり、逐次処理でも構わない。ステップ３０２で、電界データから電界強度情報を取り出す。ステップ３０８で、Ａ／Ｄ変換を行い、アナログの電界強度情報を演算処理可能なデジタル情報に変換する。ステップ３０９で、デジタル化した電界強度情報に対して微分演算を行い、電界強度情報から微分成分の情報を取り出す。ステップ３１０で、デジタル化した電界強度情報に対して積分演算を行い、電界強度情報から積分成分の情報を取り出す。また、ステップ３１１で電界強度の波形を抽出する。ステップ３１１，３１２，３１３の３つの処理は、処理対象のデータが異なるだけで、処理内容は殆ど同じである。デジタル情報の波形から特徴的なパターンを取り出す。ステップ３１４，３１５，３１６の３つの処理も、処理対象のデータが異なるだけで、処理内容は殆ど同じである。
【００３４】
ＩＣカード内に保存してある正当な利用者の登録パターンと、前ステップで抽出したパターンの比較を行う。ステップ３０７，３１４，３１５，３１６のすべての処理でパターンが一致すると判断された場合にステップ３１７に処理を移す。一つでも不一致の処理があった場合には、ステップ３１９に処理を移す。利便性を重視する場合は４つの比較のうち、いくつかが成功したらアクセスを認めるという方法を採用しても良い。ステップ３１９では、ＩＣカードからカードリーダーに対して認証失敗の通知を行い、同時に判定履歴１１５や判定パラメータ１１６の更新を行う。ステップ３１７で、ＩＣカード内に保存されている過去の判定履歴を参照して、アクセスを許可すべきかどうか判定する。
【００３５】
図１の説明でも述べたように、認証の失敗回数が一定以上繰り返されたような場合は、不正アクセスを受けていると見なすというような判断を行う。判断基準はセキュリティ要件に合わせて予めＩＣカード内に設定される。許可しないと判断した場合はステップ３１９に処理を移す。許可すると判断した場合はステップ３１８に処理を移す。ステップ３１８で、ＩＣカード内に格納している認証コードをカードリーダーに返し、同時に判定履歴１１５や判定パラメータ１１６の更新を行う。
【００３６】
業務システムはカードリーダーから受け取った認証コードを照合することにより、利用者が認証されたことを確認する。認証コードは秘密に管理されている情報である。認証コードを使う代わりに、ワンタイムパスワード方式を用いても良い。ＩＣカードが許可しない限り認証コードを得ることはできないので、業務システムにアクセスすることもできない。
【００３７】
図５は本実施形態に関する電界変化を引き起こす手の動きの具体例を示す図である。図５の（１）において、５０１は、電界４０１の中で利用者が手を動かした時の軌跡を示している。手の動きは個人毎の特徴を有しているものである（手の動きは当該個人のみが知っている動きであって且つ常に当該動きを実行するものである）。これは署名の筆跡によって個人を識別できるのと同じである。静的に手の形や皮膚の状態のみで識別するよりも多くの特徴を抽出できるので、個人認証の精度を向上することができる。スポーツのブロックサインのように３次元的な動きを組み込むことができるので、さらに多くの特徴を抽出することができる。
【００３８】
図５の（２）で、５０２はカードリーダーの上に絶縁体の板を置いてその上に署名を行うという利用法を示している。上下方向の自由度はなくなってしまうが、その分だけ認証のブレが少なくなる。利用者本人の拒否率を重視する場合は有効である。ブロックサインよりも署名の方が利用者にとっても馴染みがあり、使用が簡単という利点もある。
【００３９】
図６は電界パターン比較部１０８，３１４における処理例を模式的に示す図である。実際は、デジタル情報として処理されているので、ビット列に対する比較演算として処理される。６０１はＩＣカード内に記録されている電界パターンである。６０２はアンテナで受信した電界パターンを示している。それぞれの時刻ごとに両者の比較を行い、両パターンの差を計算する。さらに、時間軸方向に波形をずらして同様の計算を行い、最も差が小さくなったときのデータを判定部に送付する。判定部は、パターン差のデータと判定パラメーターを比較して、許容されている範囲であれば、ＩＣカードの使用を許可し、そうでない場合は、ＩＣカードの使用を拒否する。
【００４０】
微分データや積分データについても同様の手法により比較を行うことができる。また、比較のとき、周波数依存パターンの情報を用いて、周波数依存による誤差を修正すれば、より精度の高い認証を行うことができる。ただし、余りにもパラメーターを厳しく設定してしまうと、正当な利用者が拒否されてしまう可能性も高くなり得る。測定値の中には、かならず取り除けない雑音が残ってしまう。これらの条件を考慮してパラメーターを設定する必要がある。
【００４１】
図７は業務システム側で利用者認証を行う場合の業務システム内の構成例を示す図である。図７に示す実施形態は、非接触型ＩＣカードリーダーから放出される電界４０１を利用しており、ＩＣカード１０１側だけでなく、カードリーダー側からも電界を検知することができる。図１の説明で述べたような認証処理を業務システム側１０５に実装する。
【００４２】
即ち、業務システム１０５内に、電界強度検出処理やパターン照合処理の機能を持った利用者認証部７０２を実装する。利用者情報データベース７０３にはアクセス履歴や電界パターン等の認証に必要な個人情報を格納しておく。ＩＣカードから得たＩＤ情報を元に個人情報を検索し、認証処理を行う。ＩＣカード１０１側はＩＤ等の利用者識別情報のみを保持すれば良く、低機能で安価なＩＣカードにも適用できるという利点がある。業務システム側で認証する方式では、業務システムが保持しているデータベースの情報を利用できるという利点もある。電界パターンだけでなく、業務の利用履歴や業務のアクセスパターンのような広範囲の情報を加味して、より多角的な視点から利用者の認証を行うことができる。
【００４３】
以上説明したように、本発明の特徴は、次のような構成と機能乃至作用を奏するものである。即ち、非接触型カードリーダーから放射される電界を利用してＩＣカード利用者の個人認証を行うものである。電界は、近傍に導電性の物体が存在するとその影響を受けて電界分布やその密度が変化するという特性を有する。電界の変化は、人間の手などの物体の導電性や大きさ、形状、密度等の条件によって固有のパターンを示し、その電界の変化はＩＣカードのアンテナに流れる電流強度の変化となって現れるため、電流強度の変化を解析すれば、電界中に存在する物体を識別することができる。人間の体は導電性があるため、身体の一部を電界中にかざすと電界が変化する。また、非接触型ＩＣカードは、カードリーダーから放射されている電界をカード内のアンテナでキャッチすることにより、ＩＣカードの電源として用い、ＩＣカードのＣＰＵを動作させる。
【００４４】
ＩＣカード内のメモリに、正当な利用者が自分の手を電界中にかざしたときに発生する電界の変化を記録しておく。ＩＣカード使用時に検出された電界の変化と、カード内に記録されている電界の変化を比較することにより、正当な利用者か否かを判別する。これによって、利用者本人以外の第三者による不正な使用を防止することができる。
【００４５】
【発明の効果】
本発明によれば、ＩＣカード利用者を識別するための特殊な入力装置を使用することなく、簡易な手法を用いてＩＣカードの利用者の正当性を確実に認証でき、第三者による不正使用を防止することができる。
【図面の簡単な説明】
【図１】本発明の実施形態に係る非接触型ＩＣカードの内部構成を示すとともにＩＣカードを含めたＩＣカード利用者認証システムの全体構成を示す図である。
【図２】本実施形態に係るＩＣカード利用者認証システムにおける、ＩＣカード、ＩＣカード利用者、カードリーダー・業務システム間の処理の流れを示す図である。
【図３】本実施形態に関する、ＩＣカード内で電界パターンを照合して利用者の認証を行う手順を示す図である。
【図４】本実施形態に関する、ＩＣカードとカードリーダーを用いた利用者個人の認証方法を説明する図である。
【図５】本実施形態に関する電界変化を引き起こす手の動きの具体例を示す図である。
【図６】本実施形態に関する電界パターン比較部における処理例を模式的に示す図である。
【図７】本実施形態に関する、業務システム側で利用者認証を行う場合における業務システム内の構成例を示す図である。
【符号の説明】
１０１  非接触型ＩＣカード
１０２  非接触型ＩＣカードリーダー
１０３  ＩＣカード内ＣＰＵ
１０４  ＩＣカード内臓アンテナ
１０５  業務システム
１０６  判定記録部
１０７  利用許可判定部
１０８  電界パターン比較部
１０９  パターン抽出部
１１０  部分演算部
１１１  積分演算部
１１２  Ａ／Ｄ変換部
１１４  周波数検出部
１１５  判定履歴
１１６  判定パラメータ
１２１  電界パターン記録部
１２３  電界強度検出部
２０１  利用者
５０１  手の動き軌跡
５０２  絶縁板
７０２  利用者認証部
７０３  利用者情報データベース
【図１】
2004302881.tif 000003
【図２】
2004302881.tif 000004
【図３】
2004302881.tif 000005
【図４】
2004302881.tif 000006
【図５】
2004302881.tif 000007
【図６】
2004302881.tif 000008
【図７】
2004302881.tif 000009